(57)【要約】【課題】害虫の駆除確率をより高めることが可能となり、害虫による果樹、野菜、作物への被害を抑制することができる捕虫器を提供する。【解決手段】本発明は、害虫を誘引する光を発する誘引光源（２１０、２２０）と、前記誘引光源（２１０、２２０）の鉛直下方に配され、前記誘引光源（２１０、２２０）から発せられた光を鉛直上方に反射するすり鉢状反射部１６０と、前記すり鉢状反射部１６０内に吸引する気流を発生させるファン１９０と、前記ファン１９０の鉛直下方に配され、害虫を捕獲するネット（３１０、３２０）と、からなる捕虫器１００であって、前記誘引光源（２１０、２２０）が、第１の放射波長域を有する第１誘引光源２１０と、第２の放射波長域を有する第２誘引光源２２０と、からなることを特徴とする。【選択図】図１
2014083007.tif 000002
【特許請求の範囲】
【請求項１】
害虫を誘引する光を発する誘引光源と、
前記誘引光源の鉛直下方に配され、前記誘引光源から発せられた光を鉛直上方に反射するすり鉢状反射部と、
前記すり鉢状反射部内に吸引する気流を発生させるファンと、
前記ファンの鉛直下方に配され、害虫を捕獲するネットと、からなる捕虫器であって、
前記誘引光源が、第１の放射波長域を有する第１誘引光源と、第２の放射波長域を有する第２誘引光源と、からなることを特徴とする捕虫器。
【請求項２】
前記第１誘引光源が５００ｎｍ以上７５０ｎｍ以下の放射波長域を有し、前記第２誘引光源が３００ｎｍ以上５００ｎｍ以下の放射波長域を有することを特徴とする請求項１に記載の捕虫器。
【請求項３】
前記すり鉢状反射部の一部には、前記誘引光源から発せられた光を透過する窓部が形成されることを特徴とする請求項１又は請求項２に記載の捕虫器。
【請求項４】
前記ネットは、第１捕獲ネットと、前記第１捕獲ネットの外周を包囲する第２捕獲ネットとからなることを特徴とする請求項１乃至請求項３のいずれか１項に記載の捕虫器。
【請求項５】
前記第１捕獲ネットの網目には、前記第２捕獲ネットの網目より、目が粗い箇所が設けられることを特徴とする請求項４に記載の捕虫器。
【請求項６】
前記誘引光源の鉛直上方には、前記誘引光源から発せられた光を鉛直下方に反射する円板状反射部が配されることを特徴とする請求項１乃至請求項５のいずれか１項に記載の捕虫器。
【請求項７】
前記円板状反射部と前記誘引光源の間には、化学物質を取り付けることが可能な化学物質配設部が設けられることを特徴とする請求項１乃至請求項６のいずれか１項に記載の捕虫器。
【請求項８】
前記化学物質が害虫を誘引する誘引剤であることを特徴とする請求項７に記載の捕虫器。
【発明の詳細な説明】
【技術分野】
【０００１】
本発明は、農園において害虫による栽培作物の食害を減らすために、これを駆除する捕虫器に関する。
【背景技術】
【０００２】
イチゴや、モモなどの果樹が栽培される果樹園、或いは、ホウレンソウ、菊などの農作物が栽培される農園においては、害虫による果樹、野菜、作物の食害を減らすために、これを駆除する必要がある。
【０００３】
そこで、例えば青色蛍光灯を用いた誘引光源で害虫を誘引し、それを電気刺激で殺虫したり、送風機で吸引し、捕獲したりする方法が提案されている。
【０００４】
例えば、特許文献１（特開２００５−２２９９９７号公報）には、図１に関連して、誘引光源２と反射板４、５、更に電動機６とファン７と白色捕虫網８などからなる飛翔手段さらに殺傷捕獲手段で構成された捕虫器が開示されている。このような捕虫器においては、光源２の光で誘引されてきた昆虫を反射板４、５で滑落させるとともにその下にある送風機６、７で吸引、殺傷して捕獲網８に落とすようにする。
【特許文献１】特開２００５−２２９９９７号公報
【発明の概要】
【発明が解決しようとする課題】
【０００５】
害虫が誘引される光の波長は、害虫の種類によって異なるが、従来の捕虫器においては、捕虫器に用いられる誘引光源２の放射波長域によって、誘引可能な害虫の種類が決まってしまい、捕獲・駆除される害虫の種類が限定されてしまう、という問題があった。
【０００６】
従来の捕虫器で、上記のように駆除しきれない害虫がいると、害虫によっては繁殖スピードが非常に早く、時間経過と共に指数関数的に増加するものもいるので、果樹、野菜、作物の被害への影響は大きくなり、問題であった。
【課題を解決するための手段】
【０００７】
本発明は、上記のような問題を解決するものであって、本発明に係る捕虫器は、害虫を誘引する光を発する誘引光源と、前記誘引光源の鉛直下方に配され、前記誘引光源から発せられた光を鉛直上方に反射するすり鉢状反射部と、前記すり鉢状反射部内に吸引する気流を発生させるファンと、前記ファンの鉛直下方に配され、害虫を捕獲するネットと、からなる捕虫器であって、前記誘引光源が、第１の放射波長域を有する第１誘引光源と、第２の放射波長域を有する第２誘引光源と、からなることを特徴とする。
【０００８】
また、本発明に係る捕虫器は、前記第１誘引光源が５００ｎｍ以上７５０ｎｍ以下の放射波長域を有し、前記第２誘引光源が３００ｎｍ以上５００ｎｍ以下の放射波長域を有することを特徴とする。
【０００９】
また、本発明に係る捕虫器は、前記すり鉢状反射部の一部には、前記誘引光源から発せられた光を透過する窓部が形成されることを特徴とする。
【００１０】
また、本発明に係る捕虫器は、前記ネットは、第１捕獲ネットと、前記第１捕獲ネットの外周を包囲する第２捕獲ネットとからなることを特徴とする。
【００１１】
また、本発明に係る捕虫器は、前記第１捕獲ネットの網目には、前記第２捕獲ネットの網目より、目が粗い箇所が設けられることを特徴とする。
【００１２】
また、本発明に係る捕虫器は、前記誘引光源の鉛直上方には、前記誘引光源から発せられた光を鉛直下方に反射する円板状反射部が配されることを特徴とする。
【００１３】
また、本発明に係る捕虫器は、前記円板状反射部と前記誘引光源の間には、化学物質を取り付けることが可能な化学物質配設部が設けられることを特徴とする。
【００１４】
また、本発明に係る捕虫器は、前記化学物質が害虫を誘引する誘引剤であることを特徴とする。
【発明の効果】
【００１５】
本発明に係る捕虫器によれば、前記誘引光源が、第１の放射波長域を有する第１誘引光源と、第２の放射波長域を有する第２誘引光源と、からなるので、前記誘引光源によって、誘引可能な害虫の種類が増え、害虫の駆除確率をより高めることが可能となり、害虫による果樹、野菜、作物への被害を抑制することができる。
【図面の簡単な説明】
【００１６】
【図１】本発明の実施形態に係る捕虫器１００の概要を説明する図である。
【発明を実施するための形態】
【００１７】
以下、本発明の実施の形態を図面を参照しつつ説明する。図１は本発明の実施形態に係る捕虫器１００の概要を説明する図である。
【００１８】
捕虫器１００は、例えば、吊下線１１０によりこれを吊り下げることで利用することが想定されるものである。捕虫器１００の主要構成は、吊下線１１０が通る仮想軸ＯＯ’を中心として、略対称な構成となっている。例えば、第１誘引光源２１０は略ドーナツ状の形態をなすものである。
【００１９】
吊下線１１０は、基本的には円板状反射部１２０と円錐状反射部１５０とを吊り下げるようになっている。また、円板状反射部１２０と円錐状反射部１５０と間における吊下線１１０には、化学物質配設部１３０が取り付けられている。
【００２０】
円錐状反射部１５０の周面の上側３箇所からは、第１固定金具１５１が該周面から延出するように設けられており、３つの第１固定金具１５１により第１誘引光源２１０が支持されるようになっている。
【００２１】
同様に、円錐状反射部１５０の周面の下側３箇所からは、第２固定金具１５２が該周面から延出するように設けられており、３つの第２固定金具１５２により第２誘引光源２２０が支持されるようになっている。
【００２２】
なお、円錐状反射部１５０の周面に設ける第１固定金具１５１や第２固定金具１５２の数は、上記のように３つに限定されるものではない。
【００２３】
上記の第１誘引光源２１０と第２誘引光源２２０とは、不図示の安定器により発光する蛍光管であり、それぞれ異なる放射波長域を有している。なお、本実施形態においては、第１誘引光源２１０と第２誘引光源２２０と蛍光管を用いる例に基づいて説明を行うが、誘引光源としては、白熱電球、水銀灯、ナトリウム灯、ＬＥＤなどその他のものを用いることもできる。
【００２４】
第１誘引光源２１０及び第２誘引光源２２０はいずれも発光すると、害虫を誘引する光源として機能する。
【００２５】
円錐状反射部１５０の底部における３箇所からは、不図示の支持棹が延出しており、これらの支持棹ですり鉢状反射部１６０を支持・固定するようになっている。円錐状反射部１５０の底部とすり鉢状反射部１６０との間における、支持棹以外の空間は間隙となっており、この間隙から害虫を吸引することができるようになっている。
【００２６】
また、すり鉢状反射部１６０の底部からは鉛直下方に内筒部１７０が延在している。この内筒部１７０の外周面における３箇所からは、不図示の支持棹が延出しており、これらの支持棹で外筒部１８０を支持・固定するようになっている。すり鉢状反射部１６０・内筒部１７０と外筒部１８０との間における、支持棹以外の空間は間隙となっており、この間隙から害虫を吸引することができるようになっている。
【００２７】
外筒部１８０内においては、不図示のモーターにより回転駆動するファン１９０が設けられている。上記のファン１９０が回転することで、円錐状反射部１５０とすり鉢状反射部１６０と間の間隙において、すり鉢状反射部１６０内の鉛直下方に吸引する気流を発生させると共に、すり鉢状反射部１６０・内筒部１７０と外筒部１８０との間の間隙において、外筒部１８０内の鉛直下方に吸引する気流を発生させる。
【００２８】
これにより、第１誘引光源２１０と第２誘引光源２２０と誘引された害虫は、ａ1又は
ａ2の方向に吸引されることとなる。
【００２９】
外筒部１８０の鉛直下方には、第１捕獲ネット３１０及び第２捕獲ネット３２０の２種類のネットが取り付けられている。第２捕獲ネット３２０は、第１捕獲ネット３１０の外周を包囲するように設けられる。これらのネットにより、ａ1又はａ2の方向に吸引された害虫が捕獲・駆除される。
【００３０】
第１誘引光源２１０と第２誘引光源２２０とが発光することで、これらの誘引光源の鉛直上方に配されている円板状反射部１２０の斜線部が反射面として機能することによって、反射光ｒ1が形成されるようになっている。円板状反射部１２０は、円板状の平板部１
２１と、これから角度が付けられた形で延在するテーパー周縁部１２２とからなり、誘引光源の光を誘引光源近傍で集光させるように作用する。
【００３１】
第１誘引光源２１０及び第２誘引光源２２０が比較的低い位置（例えば、地上５０ｃｍ程度）にくるように設置する場合には、円板状反射部１２０を設けない方が好ましく、これを取り外して捕虫器１００を用いるようにしてもよい。
【００３２】
また、第１誘引光源２１０と第２誘引光源２２０とが発光することで、これらの誘引光源の鉛直下方に配されている円錐状反射部１５０の斜線部が反射面として機能することによって、反射光ｒ2が形成されるようになっている。
【００３３】
また、第１誘引光源２１０と第２誘引光源２２０とが発光することで、これらの誘引光源の鉛直下方に配されているすり鉢状反射部１６０の内面部１６１（斜線部）が反射面として機能することによって、反射光ｒ3が形成されるようになっている。
【００３４】
すり鉢状反射部１６０の一部には、透明なプラスチックなどからなる窓部１６５が形成されており、誘引光源から発せられた光の一部が透過光ｔ1として、すり鉢状反射部１６
０の外面部１６２に到達する。これによりすり鉢状反射部１６０の下方のエリアにいる害
虫も誘引光源によって、誘引され、ファン１９０によりａ2の方向に吸引され、すり鉢状
反射部１６０・内筒部１７０と外筒部１８０との間の間隙から捕獲される。
【００３５】
このように、本発明に係る捕虫器１００によれば、前記すり鉢状反射部１６０の一部には、誘引光源から発せられた光を透過する窓部１６５が形成され、前記すり鉢状反射部１６０の下方側のエリアにも、前記誘引光源からの光が到達するので、当該エリアにいる害虫が前記誘引光源によって誘引されて、捕獲・駆除されるので、害虫の駆除確率をより高めることが可能となり、害虫による果樹、野菜、作物への被害を抑制することができるようになるのである。
【００３６】
また、本実施形態に係る捕虫器１００においては、誘引光源が、第１の放射波長域を有する第１誘引光源２１０と、第２の放射波長域を有する第２誘引光源２２０と、からなっている。
【００３７】
第１誘引光源２１０としては、５００ｎｍ以上７５０ｎｍ以下の放射波長域を有し、５４０ｎｍ以上６３０ｎｍ以下において最大放射ピーク波長域を形成することが好ましい。これにより、コナジラミ類、アザミウマ類、ハエ類、アブラムシ類を効率的に誘引することが可能となる。
【００３８】
また、第２誘引光源２２０としては、３００ｎｍ以上５００ｎｍ以下の放射波長域を有し、３４０ｎｍ以上４５０ｎｍ以下において最大放射ピーク波長域を形成することが好ましい。これにより、アザミウマ類、ハエ類を効率的に誘引することが可能となる。
【００３９】
なお、本実施形態では、５００ｎｍ以上７５０ｎｍ以下の放射波長域を有する光源を上段側に、また、３００ｎｍ以上５００ｎｍ以下の放射波長域を有する光源を下段側に設ける構成を例に説明したが、上記のような放射波長域を有する光源の上段、下段を入れ替えて利用することも可能である。
【００４０】
また、本実施形態においては、第１誘引光源２１０、第２誘引光源２２０は略ドーナツ状の形態をなすものとして説明しているが、本発明に係る捕虫器１００においては、光源の形状がこれに限定されるものではない。
【００４１】
以上のような本発明に係る捕虫器１００によれば、前記誘引光源が、第１の放射波長域を有する第１誘引光源２１０と、第２の放射波長域を有する第２誘引光源２２０と、からなるので、前記誘引光源によって、誘引可能な害虫の種類が増え、害虫の駆除確率をより高めることが可能となり、害虫による果樹、野菜、作物への被害を抑制することができる。
【００４２】
なお、本実施形態においては、誘引光源として、第１誘引光源２１０と第２誘引光源２２０の２つを設けるようにしているが、これより多くの種類の誘引光源を用いるようしてもよいことは言うまでもない。
【００４３】
本実施形態に係る捕虫器１００においては、ネットは、第１捕獲ネット３１０と、この第１捕獲ネット３１０の外周を包囲する第２捕獲ネット３２０とからなり、第１捕獲ネット３１０の網目には、第２捕獲ネット３２０の網目より、目が粗く、強度が高い箇所が設けられている。
【００４４】
なお、本実施形態に係る捕虫器１００では、第１捕獲ネット３１０は、第２捕獲ネット３２０の網目と同じ細かさの網目を有する基部３１１と、この基部３１１から延在して、第２捕獲ネット３２０の網目より目が粗い先端部３１２とからなっている。
【００４５】
ここで、第２捕獲ネット３２０と、第１捕獲ネット３１０の基部３１１には、網目（の目合い）が０１ｍｍ〜０．３ｍｍ程度のものを用いるのがよく、また、第１捕獲ネット３１０の先端部３１２には、網目（の目合い）が５ｍｍ程度のものを用いるのがよい。
【００４６】
なお、第１捕獲ネット３１０を、基部３１１、先端部３１２の２段のネット構成とすることなく、第１捕獲ネット３１０全体に、第２捕獲ネット３２０の網目より目が粗く、強度が高いネットを用いるようにしてもよい。
【００４７】
以上のような本発明に係る捕虫器１００によれば、比較的大型の昆虫が捕獲されてしまったような場合でも、目が粗い箇所が当該昆虫に食い破られ穴ができことはないので、捕獲した害虫が前記ネットから逃げてしまうことがなく、害虫の駆除確率をより高めることが可能となり、害虫による果樹、野菜、作物への被害を抑制することができる。
【００４８】
本実施形態に係る捕虫器１００においては、円板状反射部１２０と誘引光源の間には、化学物質を取り付けることが可能な化学物質配設部１３０が設けられている。この化学物質配設部１３０に配する化学物質としては、害虫を誘引する、性フェロモン剤、集合フェロモン剤、乳酸菌分泌物などの誘引剤を用いることが好ましい。この場合、第１誘引光源２１０及び第２誘引光源２２０による害虫の誘引効果との相乗効果を期待することができる。
【００４９】
一方、化学物質配設部１３０に配する化学物質としては、昆虫が忌避する忌避剤を用いることも可能である。この場合は、農園、果樹園に好ましくない昆虫類を寄せ付けないようにしつつも、作物に害を及ぼす害虫は第１誘引光源２１０及び第２誘引光源２２０による害虫の誘引効果に基づいて、捕獲・駆除することができるようになる。
【００５０】
以上の実施形態においては、捕虫器１００を吊下線１１０により吊り下げて、仮想軸ＯＯ’が鉛直方向と平行となる設置形態で説明したが、果樹、野菜、作物の種類によっては、捕虫器１００の仮想軸ＯＯ’が水平面と平行となるように、捕虫器１００を設置する形態で利用することもできる。このような設置形態で捕虫器１００を利用する場合には、円板状反射部１２０を設けない方が好ましいことが多いので、これを取り外して捕虫器１００を用いるようにしてもよい。
【符号の説明】
【００５１】
１００・・・捕虫器
１１０・・・吊下線
１２０・・・円板状反射部
１２１・・・平板部
１２２・・・テーパー周縁部
１３０・・・化学物質配設部
１５０・・・円錐状反射部
１５１・・・第１固定金具
１５２・・・第２固定金具
１６０・・・すり鉢状反射部
１６１・・・内面部
１６２・・・外面部
１６５・・・窓部
１７０・・・内筒部
１８０・・・外筒部
１９０・・・ファン
２１０・・・第１誘引光源
２２０・・・第２誘引光源
３１０・・・第１捕獲ネット
３１１・・・基部
３１２・・・先端部
３２０・・・第２捕獲ネット
【図１】
2014083007.tif 000003